【手続補正書】
【提出日】平成18年2月24日(2006.2.24)
【手続補正１】
【補正対象書類名】明細書
【補正対象項目名】発明の名称
【補正方法】変更
【補正の内容】
【発明の名称】像加熱装置
【手続補正２】
【補正対象書類名】明細書
【補正対象項目名】特許請求の範囲
【補正方法】変更
【補正の内容】
【特許請求の範囲】
【請求項１】  フィルム部材と、加熱部材と、前記フィルム部材を挟んで前記加熱部材に当接する加圧部材と、を有し、前記フィルム部材と前記加圧部材との当接によって形成されるニップ部において、樹脂バインダー中にワックス類を含有させたワックス内包トナーにより形成されたトナー像を担持した記録材を、前記トナー像が担持された面と前記フィルム部材が当接するように挟持搬送して加圧および加熱する像加熱装置において、
前記記録材が前記フィルム部材から剥離される際の前記フィルム部材の温度が前記トナー像を形成するトナーのワックス類成分の凝固温度以下であることを特徴とする像加熱装置。
【請求項２】  前記フィルム部材は、無端ベルトであることを特徴とする請求項１に記載の像加熱装置。
【請求項３】  前記フィルム部材はシートロールから順次供給されることを特徴とする請求項１に記載の像加熱装置。
【請求項４】  前記ニップ部から前記記録材剥離部までの距離が、前記記録材の用紙長以上であることを特徴とする請求項１に記載の像加熱装置。
【請求項５】  前記記録材の後端部が前記ニップ部を通過した後、かつ前記記録材の先端部が前記剥離部を通過する前に、前記記録材の搬送動作を一旦停止させることを特徴とする請求項４に記載の像加熱装置。
【請求項６】  前記記録材と当接した前記フィルム部材の温度を検知する検知手段を設けたことを特徴とする請求項１から５の何れかに記載の像加熱装置。 
【請求項７】  前記検知手段にて検知された前記フィルム部材の温度がトナーのワックス類成分の凝固温度以下となるまで、前記記録材の搬送動作を一旦停止させること特徴とする請求項６に記載の像加熱装置。
【請求項８】  前記検知手段にて検知された前記フィルム部材の温度がトナーのワックス類成分の凝固温度以下となるまでとなるまで前記フィルム部材を冷却する冷却手段を設けたことを特徴とする請求項６に記載の像加熱装置。
【手続補正３】
【補正対象書類名】明細書
【補正対象項目名】０００１
【補正方法】変更
【補正の内容】
【０００１】
【発明の属する技術分野】
本発明は、複写機、レーザービームプリンター、ファクシミリ等の画像形成装置に用いられるトナー画像を定着または後処理する像加熱装置に関する。
【手続補正４】
【補正対象書類名】明細書
【補正対象項目名】０００２
【補正方法】変更
【補正の内容】
【０００２】
さらに詳しくは、電子写真、静電記録、磁気記録等の適時の画像形成プロセス手段により、加熱溶融性の樹脂等よりなるトナーを用いて、紙、印刷紙、転写材シート、ＯＨＴシート、光沢紙、光沢フィルム等の記録材（被加熱材）の面に直接方式もしくは転写方式(間接方式)で目的の画像情報に対応した未定着トナー画像を形成担持させ、該未定着トナー画像を、該画像を担持している記録材面上に永久固着画像として加熱定着処理する方式の像加熱装置、または一旦加熱定着処理された永久固着画像を再度加熱処理することで高品質化させる後処理装置としての像加熱装置に関するものである。
【手続補正５】
【補正対象書類名】明細書
【補正対象項目名】０００３
【補正方法】変更
【補正の内容】
【０００３】
本発明は、特にカラー画像形成装置に使用され、低コストで写真調の高グロス画像を提供したり、透過性の優れたＯＨＴ画像を提供することのできる像加熱装置に関するものである。
【手続補正６】
【補正対象書類名】明細書
【補正対象項目名】００２５
【補正方法】変更
【補正の内容】
【００２５】
そこで本発明の目的は、フィルム部材から記録材を安定して剥離させることが可能となり、剥離の不安定さに起因して生じていた光沢ムラの発生を防止することが可能となる、像加熱装置を提供することである。
【手続補正７】
【補正対象書類名】明細書
【補正対象項目名】００２６
【補正方法】変更
【補正の内容】
【００２６】
【課題を解決するための手段】
上記目的を達成するための本発明にかかる像加熱装置の代表的な構成は、フィルム部材と、加熱部材と、前記フィルム部材を挟んで前記加熱部材に当接する加圧部材と、を有し、前記フィルム部材と前記加圧部材との当接によって形成されるニップ部において、樹脂バインダー中にワックス類を含有させたワックス内包トナーにより形成されたトナー像を担持した記録材を、前記トナー像が担持された面と前記フィルム部材が当接するように挟持搬送して加圧および加熱する像加熱装置において、前記記録材が前記フィルム部材から剥離される際の前記フィルム部材の温度が前記トナー像を形成するトナーのワックス類成分の凝固温度以下であることを特徴とする。
【手続補正８】
【補正対象書類名】明細書
【補正対象項目名】００２７
【補正方法】変更
【補正の内容】
【００２７】
これによって、前記フィルム部材から記録材を安定して剥離させることが可能となり、剥離の不安定さに起因して生じていた光沢ムラの発生を防止することが可能となる。
【手続補正９】
【補正対象書類名】明細書
【補正対象項目名】００２８
【補正方法】削除
【補正の内容】
【手続補正１０】
【補正対象書類名】明細書
【補正対象項目名】００２９
【補正方法】削除
【補正の内容】
【手続補正１１】
【補正対象書類名】明細書
【補正対象項目名】００３０
【補正方法】削除
【補正の内容】
【手続補正１２】
【補正対象書類名】明細書
【補正対象項目名】００３１
【補正方法】削除
【補正の内容】
【手続補正１３】
【補正対象書類名】明細書
【補正対象項目名】００３２
【補正方法】削除
【補正の内容】
【手続補正１４】
【補正対象書類名】明細書
【補正対象項目名】００３３
【補正方法】削除
【補正の内容】
【手続補正１５】
【補正対象書類名】明細書
【補正対象項目名】００３４
【補正方法】削除
【補正の内容】
【手続補正１６】
【補正対象書類名】明細書
【補正対象項目名】００３５
【補正方法】削除
【補正の内容】
【手続補正１７】
【補正対象書類名】明細書
【補正対象項目名】００３６
【補正方法】削除
【補正の内容】
【手続補正１８】
【補正対象書類名】明細書
【補正対象項目名】００３７
【補正方法】削除
【補正の内容】
【手続補正１９】
【補正対象書類名】明細書
【補正対象項目名】００３８
【補正方法】削除
【補正の内容】
【手続補正２０】
【補正対象書類名】明細書
【補正対象項目名】００３９
【補正方法】削除
【補正の内容】
【手続補正２１】
【補正対象書類名】明細書
【補正対象項目名】００４０
【補正方法】削除
【補正の内容】
【手続補正２２】
【補正対象書類名】明細書
【補正対象項目名】００４１
【補正方法】削除
【補正の内容】
【手続補正２３】
【補正対象書類名】明細書
【補正対象項目名】００４２
【補正方法】削除
【補正の内容】
【手続補正２４】
【補正対象書類名】明細書
【補正対象項目名】００４３
【補正方法】削除
【補正の内容】
【手続補正２５】
【補正対象書類名】明細書
【補正対象項目名】００４４
【補正方法】削除
【補正の内容】
【手続補正２６】
【補正対象書類名】明細書
【補正対象項目名】００４５
【補正方法】削除
【補正の内容】
【手続補正２７】
【補正対象書類名】明細書
【補正対象項目名】００４６
【補正方法】削除
【補正の内容】
【手続補正２８】
【補正対象書類名】明細書
【補正対象項目名】００９７
【補正方法】変更
【補正の内容】
【００９７】
そして分離部Ｂへ至るまでにリボン５１の温度がトナー像を形成するトナーのワックス類成分の凝固温度以下に冷却され、分離部Ｂにおいてオフセットなしに記録材Ｐとベルト１との分離がなされる。これによってトナー像表面はリボン表面の平滑性が維持されるので、銀塩写真のような超光沢を有する高画質で安定した印刷画像を得ることができる。
【手続補正２９】
【補正対象書類名】明細書
【補正対象項目名】０１１１
【補正方法】変更
【補正の内容】
【０１１１】
例えば本実施例では本発明の像加熱装置を後処理装置、すなわち未定着画像を定着する定着装置２１のプロセス方向下流側に設けて定着済みのトナー像を後処理する装置として説明した。しかし、本発明の像加熱装置は未定着画像を定着させる機能も本質的に有していることは言うまでもなく、従来の定着装置の代替として機能させることも可能である。この場合においても高光沢画像を得るための具体的手段は前述実施例にて述べたのと同様の手法にて達成することが可能である。
【手続補正３０】
【補正対象書類名】明細書
【補正対象項目名】０１１３
【補正方法】変更
【補正の内容】
【０１１３】
【発明の効果】
以上のように本発明の像加熱装置によれば、超光沢画像を安定して供給することが可能であり、さらにビジネス文書等の低光沢が要求される場合には光沢度を低下させた印刷画像を得ることのできる像加熱装置、および該像加熱装置を備えた画像形成装置を提供することが可能となる。